Podtech/llm-jp-corpus-v4-ja_patent huggingface dataset:
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
バックライトの明るさを制御するＰＷＭパルスを発生させるＰＷＭ調光手段と、
前記ＰＷＭ調光手段から入力されるＰＷＭパルスのＤｕｔｙに基づいてＰＷＭパルスの逓倍率を制御する発振制御手段と、
バックライトを調整するためのユーザーの入力を検知するユーザーＩ／Ｆ手段と、
前記ＰＷＭ調光手段を制御して前記ユーザーＩ／Ｆ手段からの情報を基に前記ＰＷＭ調光手段からの出力されるＰＷＭパルスのＤｕｔｙ制御し、前記ＰＷＭ調光手段から出力されたＰＷＭパルスのＤｕｔｙが任意のＤｕｔｙから１００％に変化する際に前記逓倍率を段階的に減少させるように前記発振制御手段を制御する制御手段
を備えたバックライト調光装置。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
被吸着物を吸着する吸着面を有するとともに被吸着物の表面凹凸に追随して変形する誘電層、誘電層の変形を可能にする弾性層、及び誘電層の吸着面と弾性層との間に位置する、吸着に必要な静電荷を発生させるための電極を含むことを特徴とする静電チャック。
【請求項２】
誘電層が有機樹脂材料製である、請求項１記載の静電チャック。
【請求項３】
有機樹脂材料の比誘電率が２以上である、請求項２記載の静電チャック。
【請求項４】
有機樹脂材料がポリエステルである、請求項３記載の静電チャック。
【請求項５】
弾性層の材料がシリコーンゴム、天然ゴム、合成ゴム、又はウレタンである、請求項１から４までのいずれか１つに記載の静電チャック。
【請求項６】
弾性層材料のショアーＡ硬度が５５以上である、請求項５記載の静電チャック。
【請求項７】
弾性層の比抵抗が１０13Ω・ｃｍ以下である、請求項１から６までのいずれか１つに記載の静電チャック。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
複数オブジェクトを含む画像をレンダリングして像形成する画像処理装置であって、
前記複数オブジェクトを含む画像を表示する表示手段と、
前記表示手段に表示された前記画像の特定の位置を指示する指示手段と、
前記指示手段により指示された前記特定の位置に対応するオブジェクトを前記複数のオブジェクトの中から抽出する抽出手段と、
前記抽出手段により抽出された前記オブジェクトのそれぞれに対応する複数の個別画像を前記表示手段に表示させるよう制御する制御手段と、
前記表示手段に表示された前記複数の個別画像のいずれかを選択する選択手段と、
を有することを特徴とする画像処理装置。
【請求項２】
前記選択手段により選択された個別画像に対応するオブジェクトに対して画像処理を実行する画像処理手段を更に有することを特徴とする請求項１に記載の画像処理装置。
【請求項３】
前記複数のオブジェクトを含む画像は複数の領域に分割して記憶されており、前記抽出手段は、前記画像上で指示された前記特定の位置及び／又は当該特定の位置に隣接する領域に含まれるオブジェクトを抽出することを特徴とする請求項１又は２に記載の画像処理装置。
【請求項４】
前記抽出手段は、前記表示手段における前記画像の表示状況に応じて、前記オブジェクトを抽出する領域を変更することを特徴とする請求項３に記載の画像処理装置。
【請求項５】
前記抽出手段は、前記特定の位置を指示するための指示部の種類に応じて、前記オブジェクトを抽出する領域を変更することを特徴とする請求項３に記載の画像処理装置。
【請求項６】
前記画像処理装置の操作者による操作を受け付ける受付手段を有し、
前記指示手段は、前記受付手段により受け付けられた前記操作者による操作に基づいて前記特定の位置を指示し、
前記選択手段は、前記受付手段により受け付けられた前記操作者による操作に基づいて前記複数の個別画像のいずれかを選択することを特徴とする請求項１乃至５のいずれか１項に記載の画像処理装置。
【請求項７】
複数オブジェクトを含む画像をレンダリングして像形成する画像処理装置の制御方法であって、
前記複数オブジェクトを含む画像を表示手段に表示させる第１表示工程と、
前記第１表示工程で表示された前記画像の特定の位置を指示する指示工程と、
前記指示工程で指示された前記特定の位置に対応するオブジェクトを前記複数のオブジェクトの中から抽出する抽出工程と、
前記抽出工程で抽出された前記オブジェクトのそれぞれに対応する複数の個別画像を前記表示手段に表示させる第２表示工程と、
前記第２表示工程で前記表示手段に表示された前記複数の個別画像のいずれかを選択する選択工程と、
を有することを特徴とする画像処理装置の制御方法。
【請求項８】
前記選択工程で選択された個別画像に対応するオブジェクトに対して画像処理を実行する画像処理工程を更に有することを特徴とする請求項７に記載の画像処理装置の制御方法。
【請求項９】
前記複数のオブジェクトを含む画像は複数の領域に分割して記憶されており、前記抽出工程では、前記画像上で指示された前記特定の位置及び／又は当該特定の位置に隣接する領域に含まれるオブジェクトを抽出することを特徴とする請求項７又は８に記載の画像処理装置の制御方法。
【請求項１０】
前記抽出工程では、前記表示工程での前記画像の表示状況に応じて、前記オブジェクトを抽出する領域を変更することを特徴とする請求項９に記載の画像処理装置の制御方法。
【請求項１１】
前記抽出工程では、前記特定の位置を指示するための指示部の種類に応じて、前記オブジェクトを抽出する領域を変更することを特徴とする請求項９に記載の画像処理装置の制御方法。
【手続補正２】
【補正対象書類名】明細書
【補正対象項目名】０００９
【補正方法】変更
【補正の内容】
【０００９】
上記目的を達成するために本発明の一態様に係る画像処理装置は以下のような構成を備える。即ち、
複数オブジェクトを含む画像をレンダリングして像形成する画像処理装置であって、
前記複数オブジェクトを含む画像を表示する表示手段と、
前記表示手段に表示された前記画像の特定の位置を指示する指示手段と、
前記指示手段により指示された前記特定の位置に対応するオブジェクトを前記複数のオブジェクトの中から抽出する抽出手段と、
前記抽出手段により抽出された前記オブジェクトのそれぞれに対応する複数の個別画像を前記表示手段に表示させるよう制御する制御手段と、
前記表示手段に表示された前記複数の個別画像のいずれかを選択する選択手段と、
を有することを特徴とする。
【手続補正３】
【補正対象書類名】明細書
【補正対象項目名】００１０
【補正方法】変更
【補正の内容】
【００１０】
上記目的を達成するために本発明の一態様に係る画像処理装置の制御方法は以下のような工程を備える。即ち、
複数オブジェクトを含む画像をレンダリングして像形成する画像処理装置の制御方法であって、
前記複数オブジェクトを含む画像を表示手段に表示させる第１表示工程と、
前記第１表示工程で表示された前記画像の特定の位置を指示する指示工程と、
前記指示工程で指示された前記特定の位置に対応するオブジェクトを前記複数のオブジェクトの中から抽出する抽出工程と、
前記抽出工程で抽出された前記オブジェクトのそれぞれに対応する複数の個別画像を前記表示手段に表示させる第２表示工程と、
前記第２表示工程で前記表示手段に表示された前記複数の個別画像のいずれかを選択する選択工程と、
を有することを特徴とする。
【手続補正４】
【補正対象書類名】明細書
【補正対象項目名】００１１
【補正方法】変更
【補正の内容】
【００１１】
本発明によれば、複数のオブジェクトを含む画像をレンダリングして像形成する画像処理装置において、複数のオブジェクトを含む画像の特定の位置に対応するオブジェクトを抽出し、抽出されたオブジェクトに対応する個別画像を適切に選択することができる。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
画像を表示する表示手段と、
前記画像を選択する選択手段と、
前記画像に余白を付加し、前記表示手段に複数の前記画像が一覧できるように表示させ、前記画像が複数選択されたときに、その選択順に前記各画像の余白間を接続する接続線を表示するように制御する表示制御手段と、
を備えたことを特徴とする画像表示装置。
【請求項２】
前記表示制御手段は、前記余白に接続された前記接続線の端部の上を他の接続線が通過しないように制御することを特徴とする請求項１記載の画像表示装置。
【請求項３】
前記接続線を選択する手段と、
選択された前記接続線に接続されている第１の画像と第２の画像とを特定する手段と、を更に備え、
前記表示制御手段は、前記第１の画像と第２の画像とのいずれか一方のみが前記表示手段に表示されているときに、前記表示手段に表示されていない他方の画像が表示されるように表示をスクロールするように制御することを特徴とする請求項１または２記載の画像表示装置。
【請求項４】
前記画像の選択を解除する手段を更に備え、
前記表示制御手段は、選択解除された第１の画像に接続されている接続線を消去するとともに、前記第１の画像に接続されている接続線が２本であったときには、これら２本の接続線に接続されていた第２の画像と第３の画像とを新たな接続線で接続するように制御することを特徴とする請求項１または２記載の画像表示装置。
【請求項５】
複数の画像の各々に余白を付加して画面上で一覧できるように表示するステップと、
前記画像を選択するステップと、
前記画像が複数選択されたときに、その選択順に前記各画像の余白間を接続する接続線を、前記画像が前記接続線によって隠れないように表示するステップと、
を含むことを特徴とする画像表示方法。
【請求項６】
前記余白に接続された前記接続線の端部の上を他の接続線が通過しないように前記接続線を表示するステップを含むことを特徴とする請求項５記載の画像表示方法。
【請求項７】
前記接続線を選択するステップと、
選択された前記接続線に接続されている第１の画像と第２の画像とを特定するステップと、
前記第１の画像と第２の画像とのいずれか一方のみが表示されているときに、表示されていない他方の画像が表示されるように表示をスクロールするステップと、
を含むことを特徴とする請求項５または６記載の画像表示方法。
【請求項８】
前記画像の選択を解除するステップと、
選択解除された第１の画像に接続されている接続線を消去するステップと、
前記第１の画像に接続されている接続線が２本であったときに、これら２本の接続線に接続されていた第２の画像と第３の画像とを新たな接続線で接続するよう表示させるステップと、
を含むことを特徴とする請求項５または６記載の画像表示方法。
【請求項９】
複数の画像の各々に余白を付加して画面上で一覧できるように表示する処理と、
前記画像を選択する処理と、
前記画像が複数選択されたときに、その選択順に前記各画像の余白間を接続する接続線を、前記画像が前記接続線によって隠れないように表示する処理と、
をコンピュータに実行させることを特徴とする画像表示プログラム。
【請求項１０】
前記余白に接続された前記接続線の端部の上を他の接続線が通過しないように前記接続線を表示させる処理をコンピュータに実行させることを特徴とする請求項９記載の画像表示プログラム。
【請求項１１】
前記接続線を選択する処理と、
選択された前記接続線に接続されている第１の画像と第２の画像とを特定する処理と、
前記第１の画像と第２の画像とのいずれか一方のみが表示されているときに、表示されていない他方の画像が表示されるように表示をスクロールする処理と、
をコンピュータに実行させることを特徴とする請求項９または１０記載の画像表示プログラム。
【請求項１２】
前記画像の選択を解除する処理と、
選択解除された第１の画像に接続されている接続線を消去する処理と、
前記第１の画像に接続されている接続線が２本であったときに、これら２本の接続線に接続されていた第２の画像と第３の画像とを新たな接続線で接続するように表示させる処理と、
をコンピュータに実行させることを特徴とする請求項９または１０記載の画像表示プログラム。
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
ＲＦ受信できる信号形式が保たれてＩＰ再送信された放送番組およびＩＰ網専用番組を受ける１つのＩＰネットワークインタフェースと、
前記ＩＰネットワークインタフェースから受信されるＴＳパケットに対し誤り訂正処理を行うエラー訂正部と、
前記エラー訂正部に接続され、該エラー訂正部から入力されるＴＳパケットの暗号復号処理を行う複数の暗号復号処理部と、
前記複数の暗号復号処理部の各々に対応して設けられ、暗号復号処理のための鍵を取得し、該鍵を対応する暗号復号処理部に与える複数の鍵供給部と、
前記複数の暗号復号処理部で暗号復号処理されたＴＳパケットを入力とし、ＴＳパケットの多重分離処理を行う１つのＴＳパケット多重分離部と、
前記ＴＳパケット多重分離部により分離された各エレメンタリストリームをデコードする復号部と、
前記ＴＳパケット多重分離部により分離されたマルチメディアデータを画面イメージ信号に変換するマルチメディアデータ変換部を備え、
前記ＩＰネットワークインタフェースは、同一ＩＰ上に構築され、ＩＰ再送信による放送番組およびＩＰ網専用番組の一部情報について共通化されたプロトコルスタックに従ってＩＰ再送信による放送番組およびＩＰ網専用番組を受けることを特徴とする映像信号受信装置。
【請求項２】
前記プロトコルスタックは、マルチメディアデータと限定受信のための視聴者ごとの契約情報とを除く情報について共通化されていることを特徴とする請求項１に記載の映像信号受信装置。
【請求項３】
前記エラー訂正部を複数有し、該複数のエラー訂正部と前記複数の暗号復号処理部の各々からなる複数の受信系統により、エラー訂正方式やそのパラメータが異なる、あるいは暗号化化方式が異なる幾つかの形式のパケットの受信に対応可能であることを特徴とする請求項１または２に記載の映像信号受信装置。
【請求項４】
前記復号部は、符号化方式が異なる幾つかの形式のパケットの受信に対応可能であることを特徴とする請求項１ないし３のいずれかに記載の映像信号受信装置。
【手続補正２】
【補正対象書類名】明細書
【補正対象項目名】００１１
【補正方法】変更
【補正の内容】
【００１１】
IP網専用番組の受信手順は、基本的には、TSパケットを伝送するRF信号がIPパケットに置き換えられている以外は放送番組の受信手順と同じである。しかし、放送番組とIP網専用番組とではBMLデータおよびEMMの通信形態に差異があり、この差異により両者の受信処理に差異が生じる。BMLデータおよびEMMは、リクエストに従ってIPネットワークインタフェース42から取り出され、それぞれブラウザ23およびIPTV用ICカード19に送られる。
【手続補正３】
【補正対象書類名】明細書
【補正対象項目名】００１８
【補正方法】変更
【補正の内容】
【００１８】
上記課題を解決するため、本発明は、RF受信できる信号形式が保たれてIP再送信された放送番組およびIP網専用番組を受ける１つのIPネットワークインタフェースと、前記IPネットワークインタフェースから受信されるTSパケットに対し誤り訂正処理を行うエラー訂正部と、前記エラー訂正部から入力されるTSパケットの暗号復号処理を行う複数の暗号復号処理部と、前記エラー訂正部に接続され、該エラー訂正部から入力されるTSパケットの暗号復号処理を行う複数の暗号復号処理部と、前記複数の暗号復号処理部の各々に対応して設けられ、暗号復号処理のための鍵を取得し、該鍵を対応する暗号復号処理部に与える複数の鍵供給部と、前記複数の暗号復号処理部で暗号復号処理されたTSパケットを入力とし、TSパケットの多重分離処理を行う１つのTSパケット多重分離部と、前記TSパケット多重分離部により分離された各エレメンタリストリームをデコードする復号部と、前記TSパケット多重分離部により分離されたマルチメディアデータを画面イメージ信号に変換するマルチメディアデータ変換部を備え、前記IPネットワークインタフェースは、同一IP上に構築され、IP再送信による放送番組およびIP網専用番組の一部情報について共通化されたプロトコルスタックに従ってIP再送信による放送番組およびIP網専用番組を受ける点に第１の特徴がある。
【手続補正４】
【補正対象書類名】明細書
【補正対象項目名】００２０
【補正方法】変更
【補正の内容】
【００２０】
また、本発明は、前記エラー訂正部を複数有し、該複数のエラー訂正部と前記複数の暗号復号処理部の各々からなる複数の受信系統により、エラー訂正方式やそのパラメータが異なる、あるいは暗号化化方式が異なる幾つかの形式のパケットの受信に対応可能である点に第３の特徴がある。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
被写体像を撮影する撮像手段と、
この撮影手段での撮影で取得した画像情報を当該画像情報に関連した複数項目の関連情報と対応付けて１レコードとして記録する記録手段と、
この記録手段で記録したレコードを装置外部へ出力する出力手段と、
この出力手段での出力を制限する関連情報の項目と制限内容とを指定する指定手段と、
上記出力手段でのレコードの出力に際し、上記指定手段での指定内容に基づいて複数項目の関連情報及び画像情報の少なくとも一つを制限したレコードを上記出力手段により出力させる出力制御手段と
を具備したことを特徴とする撮像装置。
【請求項２】
上記出力手段により出力したレコードを外部装置で集計して得られた統計データを該外部装置から受信する受信手段と、
この受信手段により受信した統計データに基づいて上記撮像手段による撮影を制御するための撮影制御データを更新する更新手段と、
を更に備えたことを特徴とする請求項１記載の撮像装置。
【請求項３】
上記受信手段により受信する統計データは、他の複数の撮像装置から送信されたレコードを上記外部装置で集計したものであり、この統計データは他の複数の撮像装置にも送信されるものであることを特徴とする請求項２記載の撮像装置。
【請求項４】
上記出力制御手段は、複数項目の関連情報及び画像情報の少なくとも一つを加工した上で出力させることを特徴とする請求項１乃至３に記載の撮像装置。
【請求項５】
上記指定手段は、上記出力手段による出力先の機器、出力の目的、１レコード中の複数項目の組合せの少なくとも１つに応じて指定内容を可変することを特徴とする請求項１乃至３に記載の撮像装置。
【請求項６】
上記複数項目の関連情報は、撮影日時、撮影場所、撮影条件、装置機種、装置ユーザの個人情報の少なくとも２つを含み、
上記出力制御手段は、上記指定情報により指定されたる関連情報の複数項目の組合せに応じて関連情報の出力を制限する
ことを特徴とする請求項１乃至３に記載の撮像装置。
【請求項７】
被写体像を撮影する撮像工程と、
この撮影工程での撮影で取得した画像情報を当該画像情報に関連した複数項目の関連情報と対応付けて１レコードとして記録する記録工程と、
この記録工程で記録したレコードを装置外部へ出力する出力工程と、
この出力工程での出力を制限する関連情報の項目と制限内容とを指定する指定工程と、
上記出力工程でのレコードの出力に際し、上記指定工程での指定内容に基づいて複数項目の関連情報及び画像情報の少なくとも一つを制限したレコードを上記出力工程で出力させる出力制御工程と
を有したことを特徴とする撮像装置の出力制御方法。
【請求項８】
撮像装置に内蔵されるコンピュータが実行するプログラムであって、
被写体像を撮影する撮像ステップと、
この撮影ステップでの撮影で取得した画像情報を当該画像情報に関連した複数項目の関連情報と対応付けて１レコードとして記録する記録ステップと、
この記録ステップで記録したレコードを装置外部へ出力する出力ステップと、
この出力ステップでの出力を制限する関連情報の項目と制限内容とを指定する指定ステップと、
上記出力ステップでのレコードの出力に際し、上記指定ステップでの指定内容に基づいて複数項目の関連情報及び画像情報の少なくとも一つを制限したレコードを上記出力ステップで出力させる出力制御ステップと
をコンピュータに実行させることを特徴とするプログラム。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
被写体の画像を撮影する撮像手段と、
この撮像手段で得られる画像をモニタ表示する表示手段と、
時間経過に伴って変化する被写体の配置状況または撮影状況を示す所定の規則を記憶した記憶手段と、
装置の設置位置及び設置姿勢を指定する第１の指定手段と、
時刻を指定する第２の指定手段と、
上記第１の指定手段で指定する設置位置及び設置姿勢と上記第２の指定手段で指定する時刻とにより上記記憶手段で記憶した規則を参照し、被写体の配置状況または撮影状況を特定する特定手段と
を具備したことを特徴とする撮像装置。
【請求項２】
上記特定手段により特定された上記被写体の配置状況または撮影状況を示すガイド画像を作成する作成手段と、
この作成手段で作成したガイド画像を上記表示手段でのモニタ画像に加えて表示させる表示制御手段と
を更に備えたことを特徴とする請求項１記載の撮像装置。
【請求項３】
上記作成手段は、ガイド画像として被写体の見え方を特定するガイド画像を作成することを特徴とする請求項１記載の撮像装置。
【請求項４】
上記作成手段は、ガイド画像として被写体の予想画像を作成し、
上記表示制御手段は、被写体の予想画像を上記表示手段でのモニタ画像に対して半透過状態で重畳表示させる
ことを特徴とする請求項１記載の撮像装置。
【請求項５】
上記記憶手段は、時間経過に伴って変化する複数の被写体の各々の配置状況を示す所定の規則を記憶し、
上記特定手段は、上記第１の指定手段で指定する設置位置及び設置姿勢と上記第２の指定手段で指定する時刻とにより上記記憶手段で記憶した規則を参照し、上記複数の被写体の各々の位置を特定し、
上記作成手段は、上記複数の被写体が上記特定手段により特定された各々の位置に配置された状況を示す予想画像を作成する
ことを特徴とする請求項３または４に記載の撮像装置。
【請求項６】
上記作成手段により作成された予想画像上における各被写体の配置位置に対応させて、各被写体を説明する文字情報を表示する文字表示手段を更に備えることを特徴とする請求項３または４に記載の撮像装置。
【請求項７】
上記被写体は、天体を構成する複数の物体であることを特徴とする請求項１乃至６のいずれかに記載の撮像装置。
【請求項８】
上記被写体は、地上の固定位置で太陽光を反射する物体であることを特徴とする請求項１乃至６のいずれかに記載の撮像装置。
【請求項９】
上記記憶手段は、時間経過に伴って変化する太陽の配置状況を示す所定の規則を記憶し、
上記特定手段は、上記第１の指定手段で指定する設置位置及び設置姿勢と上記第２の指定手段で指定する時刻とにより上記記憶手段で記憶した規則を参照し、太陽光を反射する被写体の撮影状況を特定することを特徴とする請求項１記載の撮像装置。
【請求項１０】
上記作成手段は、上記特定手段により特定された上記太陽光を反射する被写体の撮影状況を示すガイド画像を作成することを特徴とする請求項９記載の撮像装置。
【請求項１１】
上記特定手段により特定された上記太陽光を反射する被写体の撮影状況に応じて撮影条件を自動設定する撮影制御手段を更に備えたことを特徴とする請求項９記載の撮像装置。
【請求項１２】
上記特定手段は、太陽の高度に応じて変化する上記被写体の色味を特定し、
上記撮影制御手段は、上記特定手段により特定された上記被写体の色味を補正するようなホワイトバランス補正を施す
ことを特徴とする請求項１１記載の撮像装置。
【請求項１３】
被写体の画像を撮影する撮像部、及びこの撮像部で得られる画像をモニタ表示する表示部を備えた撮像装置のガイド表示方法であって、
時間経過に伴って変化する被写体の配置状況または撮影状況を示す所定の規則を記憶する記憶工程と、
装置の設置位置及び設置姿勢を指定する第１の指定工程と、
時刻を指定する第２の指定工程と、
上記第１の指定工程で指定する設置位置及び設置姿勢と上記第２の指定工程で指定する時刻とにより上記記憶工程で記憶した規則を参照し、被写体の配置状況または撮影状況を示すガイド画像を作成する作成工程と、
この作成工程で作成したガイド画像を上記表示部でのモニタ画像に加えて表示させる表示制御工程と
を有したことを特徴とする撮像装置のガイド表示方法。
【請求項１４】
被写体の画像を撮影する撮像部、及びこの撮像部で得られる画像をモニタ表示する表示部を備えた撮像装置に内蔵されたコンピュータが実行するプログラムであって、
時間経過に伴って変化する被写体の配置状況または撮影状況を示す所定の規則を記憶する記憶ステップと、
装置の設置位置及び設置姿勢を指定する第１の指定ステップと、
時刻を指定する第２の指定ステップと、
上記第１の指定ステップで指定する設置位置及び設置姿勢と上記第２の指定ステップで指定する時刻とにより上記記憶ステップで記憶した規則を参照し、被写体の配置状況または撮影状況を示すガイド画像を作成する作成ステップと、
この作成ステップで作成したガイド画像を上記表示部でのモニタ画像に加えて表示させる表示制御ステップと
をコンピュータに実行させることを特徴とするプログラム。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
コンテンツ記録装置であって、
複数の入手経路から入手したコンテンツを解析するコンテンツ解析手段と、
前記コンテンツ解析手段による解析結果から前記コンテンツの品質を評価する評価値を算出する算出手段と、
前記算出手段によって算出された評価値に基づいて、前記複数の入手経路から入手したコンテンツを記憶媒体に記録する、又は前記記憶媒体に記録されたコンテンツを削除する制御手段と、
を有することを特徴とするコンテンツ記録装置。
【請求項２】
前記解析結果及び前記評価値をユーザに通知する通知手段を更に有し、
前記制御手段は、前記通知手段による通知に応答して、前記ユーザが指定したコンテンツを削除することを特徴とする請求項１記載のコンテンツ記録装置。
【請求項３】
前記コンテンツ解析手段は、前記複数の入手経路から入手したコンテンツのノイズ、解像度、ＣＭ（Commercial Message）の有無及び長さ、テロップの有無及び長さ、の少なくとも１つを解析することを特徴とする請求項１又は２記載のコンテンツ記録装置。
【請求項４】
コンテンツ記録装置のコンテンツ記録方法であって、
複数の入手経路から入手したコンテンツを解析するコンテンツ解析工程と、
前記コンテンツ解析工程における解析結果から前記コンテンツの品質を評価する評価値を算出する算出工程と、
前記算出工程において算出された評価値に基づいて、前記複数の入手経路から入手したコンテンツを記憶媒体に記録する、又は前記記憶媒体に記録されたコンテンツを削除する制御工程と、
を有することを特徴とするコンテンツ記録方法。
【請求項５】
前記コンテンツ解析工程は、前記複数の入手経路から入手したコンテンツのノイズ、解像度、ＣＭ（Commercial Message）の有無及び長さ、テロップの有無及び長さ、の少なくとも１つを解析することを特徴とする請求項４記載のコンテンツ記録方法。
【請求項６】
請求項４又は５記載のコンテンツ記録方法をコンピュータに実行させるためのプログラム。
【手続補正２】
【補正対象書類名】明細書
【補正対象項目名】００１３
【補正方法】変更
【補正の内容】
【００１３】
本発明は、コンテンツ記録装置であって、複数の入手経路から入手したコンテンツを解析するコンテンツ解析手段と、前記コンテンツ解析手段による解析結果から前記コンテンツの品質を評価する評価値を算出する算出手段と、前記算出手段によって算出された評価値に基づいて、前記複数の入手経路から入手したコンテンツを記憶媒体に記録する、又は前記記憶媒体に記録されたコンテンツを削除する制御手段とを有することを特徴とする。
【手続補正３】
【補正対象書類名】明細書
【補正対象項目名】００１４
【補正方法】変更
【補正の内容】
【００１４】
また、本発明は、コンテンツ記録装置のコンテンツ記録方法であって、複数の入手経路から入手したコンテンツを解析するコンテンツ解析工程と、前記コンテンツ解析工程における解析結果から前記コンテンツの品質を評価する評価値を算出する算出工程と、前記算出工程において算出された評価値に基づいて、前記複数の入手経路から入手したコンテンツを記憶媒体に記録する、又は前記記憶媒体に記録されたコンテンツを削除する制御工程とを有することを特徴とする。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
番組動画データ配信装置、広告動画データ配信装置、および動画データ鑑賞装置を有する動画データ配信・鑑賞システムであって、前記広告動画データ配信装置は前記動画データ鑑賞装置による広告動画データの閲覧実績に応じて番組動画データ鑑賞権を前記動画データ鑑賞装置に発行する制御手段を有し、前記動画データ鑑賞装置は発行された番組動画データ鑑賞権を使用して前記番組動画データ配信装置の配信する番組動画データを鑑賞する制御手段を有し、さらに前記番組動画データ配信装置は、番組動画データ鑑賞権の使用実績に基づき前記広告動画データ配信装置から広告料を受けとる制御手段を有することを特徴とする動画データ配信・鑑賞システム。
【請求項２】
広告動画データを配信する配信手段と、配信した広告動画データの閲覧実績に応じて番組動画データ鑑賞権を発行する発行手段と、配信した広告動画データの再生中断信号を受信する受信手段と、前記発行手段と前記受信手段に基づき広告動画データと番組動画データ鑑賞権が使用可能な番組動画データとの関係を変更する管理手段とを有することを特徴とする広告動画データ配信装置。
【請求項３】
番組動画データおよび番組動画データ鑑賞権の獲得が可能な広告動画データを外部から入力する入力手段と、番組動画データの特定によりその番組のための番組動画データ鑑賞権を発行可能な広告動画データを表示する表示手段とを有することを特徴とする動画データ鑑賞装置。
【請求項４】
番組動画データおよび番組動画データ鑑賞権の獲得が可能な広告動画データを外部から入力する入力手段と、広告動画データの特定によりその広告動画データの閲覧によって獲得される番組動画データ鑑賞権が使用可能な番組動画データを表示する表示手段とを有することを特徴とする動画データ鑑賞装置。
【請求項５】
広告動画データを外部から入力する入力手段と、広告動画データを再生表示する広告動画データ再生手段と、前記再生手段に広告再生を中断させるための再生中断信号を発生させる広告中断操作部と、広告中断信号を外部に出力する出力手段とを有することを特徴とする動画データ鑑賞装置。
【請求項６】
番組動画データおよび番組動画データ鑑賞権の獲得が可能な広告動画データを外部から入力する入力手段と、広告動画データを再生表示する広告動画データ再生手段と、前記再生手段によって再生される広告動画データを閲覧したことを示す閲覧実績信号を発生させる閲覧操作部と、閲覧実績信号を外部に出力する出力手段とを有することを特徴とする動画データ鑑賞装置。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
動画ファイルと、前記動画ファイルが記録された日時に関する情報とを記録媒体から読出す読出し手段と、
前記動画ファイルが記録された日時に関する情報を用いて、前記動画ファイルが日を跨いで記録された動画ファイルか否かを判別する判別手段と、
前記記録媒体に保存された動画ファイルを、その記録日に基づいて処理する処理手段であって、前記日を跨いで記録された動画ファイルについては、当該動画ファイルの記録が開始された日と当該動画ファイルの記録が終了した日の両方を記録日として前記処理を行なう処理手段とを有することを特徴とする情報処理装置。
【請求項２】
前記処理手段が、前記記録媒体に保存された動画ファイルから、特定の記録日を有する動画ファイルを検索する処理を行なう場合、前記日を跨いで記録された動画ファイルについては、当該動画ファイルの記録が開始された日と当該動画ファイルの記録が終了した日の両方を記録日として検索する処理を行なうことを特徴とする請求項１記載の情報処理装置。
【請求項３】
前記処理手段が、
前記記録媒体に保存される個々の動画ファイルを、その記録日と対応付けたリストを生成するリスト生成手段を有し、
当該リスト生成手段が、前記日を跨いで記録された動画ファイルについては、当該動画ファイルの記録が開始された日と当該動画ファイルの記録が終了した日の両方に対応付けて前記リストを生成し、
前記処理手段が、前記リストを用いて前記検索する処理を行なうことを特徴とする請求項２記載の情報処理装置。
【請求項４】
前記処理手段が、前記記録媒体に保存された動画ファイルを、前記情報処理装置に接続された外部装置に、記録日に基づいて分類してコピーする処理を行なう場合、前記日を跨いで記録された動画ファイルについては、当該動画ファイルの記録が開始された日と当該動画ファイルの記録が終了した日の両方に分類してコピーする処理を行なうことを特徴とする請求項１記載の情報処理装置。
【請求項５】
表示装置と、
前記処理手段により検索された動画ファイルの代表画像を前記表示装置に表示させる表示制御手段とをさらに有し、
前記表示制御手段が、前記処理手段により検索された動画ファイルのうち、前記日を跨いで記録された動画ファイルの代表画像を、日を跨がずに記録された動画ファイルの代表画像と視覚的に異ならせて表示させることを特徴とする請求項２又は請求項３記載の情報処理装置。
【請求項６】
前記表示制御手段が、前記日を跨いで記録された動画ファイルの代表画像のみに付加的な表示を行なうことを特徴とする請求項５記載の情報処理装置。
【請求項７】
前記表示制御手段が、前記日を跨いで記録された動画ファイルの前記代表画像を表示させる場合、当該動画ファイルの記録が開始された日と当該動画ファイルの記録が終了した日のいずれに基づいて検索されたかに応じて、前記代表画像を視覚的に異ならせて表示させることを特徴とする請求項５又は請求項６記載の情報処理装置。
【請求項８】
前記判別手段が、前記動画ファイルに関連付けて記録された付随情報に含まれる、日付を跨いで記録されたか否かを表す情報に基づいて前記判別を行なうことを特徴とする請求項１乃至請求項７のいずれか１項に記載の情報処理装置。
【請求項９】
前記判別手段が、前記動画ファイルに関連付けて記録された付随情報に含まれる、記録開始日時情報と、記録終了日時情報又は記録時間情報とに基づいて前記判別を行なうことを特徴とする請求項１乃至請求項７のいずれか１項に記載の情報処理装置。
【請求項１０】
読み出し手段により、動画ファイルと、前記動画ファイルが記録された日時に関する情報とを記録媒体から読出す読出し工程と、
判別手段が、前記動画ファイルが記録された日時に関する情報を用いて、前記動画ファイルが日を跨いで記録された動画ファイルか否かを判別する判別工程と、
処理手段が、前記記憶媒体に保存された動画ファイルを、その記録日に基づいて処理する処理工程であって、前記日を跨いで記録された動画ファイルについては、当該動画ファイルの記録が開始された日と当該動画ファイルの記録が終了した日の両方を記録日として前記処理を行なう処理工程とを有することを特徴とする情報処理方法。
【手続補正２】
【補正対象書類名】明細書
【補正対象項目名】００１０
【補正方法】変更
【補正の内容】
【００１０】
すなわち、上述の目的は、動画ファイルと、動画ファイルが記録された日時に関する情報とを記録媒体から読出す読出し手段と、動画ファイルが記録された日時に関する情報を用いて、動画ファイルが日を跨いで記録された動画ファイルか否かを判別する判別手段と、記録媒体に保存された動画ファイルを、その記録日に基づいて処理する処理手段であって、日を跨いで記録された動画ファイルについては、当動画ファイルの記録が開始された日と当動画ファイルの記録が終了した日の両方を記録日として前記処理を行なう処理手段とを有することを特徴とする情報処理装置によって達成される。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、上述の目的は、読み出し手段により、動画ファイルと、動画ファイルが記録された日時に関する情報とを記録媒体から読出す読出し工程と、判別手段が、動画ファイルが記録された日時に関する情報を用いて、動画ファイルが日を跨いで記録された動画ファイルか否かを判別する判別工程と、処理手段が、記憶媒体に保存された動画ファイルを、その記録日に基づいて処理する処理工程であって、日を跨いで記録された動画ファイルについては、当動画ファイルの記録が開始された日と当動画ファイルの記録が終了した日の両方を記録日として前記処理を行なう処理工程とを有することを特徴とする情報処理方法によっても達成される。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
注目画素を含む複数画素で構成される領域を設定する領域設定手段と、
前記領域内の画像信号から画像信号に関連する値の変動回数を算出する変動回数算出手段と、
前記領域内の画像信号から画像信号に関連する値の変動量を算出する変動量算出手段と、
前記領域内の少なくとも注目画素に対して前記算出した変動回数及び前記算出した変動量に基づいて適応的に第１補正強度を設定する第１補正強度設定手段と、
前記第１補正強度を設定した画素を前記第１補正強度で画像補正する第１補正手段と、  前記領域内の少なくとも注目画素に対して前記算出した変動回数及び前記算出した変動量に基づいて適応的に第２補正強度を設定する第２補正強度設定手段と、
前記第１補正強度を設定した画素を前記第２補正強度で画像補正する第２補正手段と、を備える、ことを特徴とする画像補正処理装置。
【請求項２】
前記第２設定手段は、前記変動回数が取り得る値領域内の少なくとも一部の値領域において、前記変動回数毎に異なる補正強度を設定する、ことを特徴とする請求項１に記載の画像補正処理装置。
【請求項３】
前記第２設定手段は、前記変動量が取り得る値領域内の少なくとも一部の値領域において、前記変動量毎に異なる補正強度を設定する、ことを特徴とする請求項１に記載の画像補正処理装置。
【請求項４】
前記変動回数を第１閾値と第１閾値より大きい第２閾値と比較する比較手段と、
前記変動回数が前記第１閾値より小さい場合に前記補正強度を最大強度に設定する最大強度設定手段と、
前記変動回数が前記第２閾値より大きい場合に前記補正強度を最小強度に設定する最小強度設定手段と、
前記変動回数が前記第１閾値以上且つ前記第２閾値以下の場合に、前記変動回数が前記第１閾値の場合は補正強度が最大強度、且つ前記変動回数が前記第２閾値の場合は補正強度が最小強度となるように前記変動回数毎に異なる補正強度を設定する第３補正強度設定手段と、をさらに備える、ことを特徴とする請求項１に記載の画像補正処理装置。
【請求項５】
前記変動量を第３閾値と第３閾値より大きい第４閾値と比較する比較手段と、
前記変動量が前記第３閾値より小さい場合に前記補正強度を最小強度に設定する最小強度設定手段と、
前記変動量が前記第４閾値より大きい場合に前記補正強度を最大強度に設定する最大強度設定手段と、
前記変動量が前記第３閾値以上且つ前記第４閾値以下の場合に前記変動量が前記第３閾値の場合は補正強度が最小強度且つ前記変動量が前記第４閾値の場合は補正強度が最大強度となるように前記変動量毎に異なる補正強度を設定する第３補正強度設定手段と、をさらに備える、ことを特徴とする請求項１に記載の画像補正処理装置。
【請求項６】
前記変動回数算出手段は、前記領域内のエッジ方向にある画像信号から画像信号に関連する変動回数を算出する、ことを特徴とする請求項１に記載の画像補正処理装置。
【請求項７】
前記変動量算出手段は、前記領域内のエッジ方向にある画像信号から画像信号に関連する変動量を算出する、ことを特徴とする請求項２に記載の画像補正処理装置。
【請求項８】
前記エッジ方向は、前記領域内において注目画素を含む複数方向の領域の画像信号に関連する変動量の内、前記変動量が最大の方向である、ことを特徴とする請求項６又は７に記載の画像補正処理装置。
【請求項９】
前記最大強度と、前記最小強度の設定値の符号が異なる、ことを特徴とする請求項４又は５に記載の画像補正処理装置。
【請求項１０】
前記第１及び第２補正強度は、エッジ強調量と平滑化量と置換量と無彩色化量の内少なくとも１つを補正する為の強度である、ことを特徴とする請求項１に記載の画像補正処理装置。
【請求項１１】
前記画像補正は、エッジ強調処理、平滑化処理、置換処理、無彩色化処理のいずれか１つである、ことを特徴とする請求項１に記載の画像補正処理装置。
【請求項１２】
注目画素を含む複数画素で構成される少なくとも１つの領域を設定する領域設定手段と、
前記領域内の画像信号から画像信号に関連する値の変動回数又は変動量を算出する算出手段と、
前記領域内の少なくとも注目画素に対して前記算出した変動回数又は前記算出した変動量に基づいて適応的に第１補正強度を設定する第１補正強度設定手段と、
前記第１補正強度を設定した画素を前記第１補正強度で画像補正する第１補正手段と、
前記領域内の少なくとも注目画素に対して前記算出した変動回数又は変動量に基づいて適応的に第２補正強度を設定する第２補正強度設定手段と、
前記第１補正強度を設定した画素を前記第２補正強度で画像補正する第２補正手段と、を備える、ことを特徴とする画像補正処理装置。
【請求項１３】
注目画素を含む複数画素で構成される領域を設定する領域設定工程と、
前記領域内の画像信号から画像信号に関連する値の変動回数を算出する変動回数算出工程と、
前記領域内の画像信号から画像信号に関連する値の変動量を算出する変動量算出工程と、
前記領域内の少なくとも注目画素に対して前記算出した変動回数及び前記算出した変動量に基づいて適応的に第１補正強度を設定する第１補正強度設定工程と、
前記第１補正強度を設定した画素を前記第１補正強度で画像補正する第１補正工程と、
前記領域内の少なくとも注目画素に対して前記算出した変動回数及び前記算出した変動量に基づいて適応的に第２補正強度を設定する第２補正強度設定工程と、
前記第１補正強度を設定した画素を前記第２補正強度で画像補正する第２補正工程と、を備える、ことを特徴とする画像補正処理装置の制御方法。
【請求項１４】
注目画素を含む複数画素で構成される少なくとも１つの領域を設定する領域設定工程と、
前記領域内の画像信号から画像信号に関連する値の変動回数又は変動量を算出する算出工程と、
前記領域内の少なくとも注目画素に対して前記算出した変動回数又は前記算出した変動量に基づいて適応的に第１補正強度を設定する第１補正強度設定工程と、
前記第１補正強度を設定した画素を前記第１補正強度で画像補正する第１補正工程と、
前記領域内の少なくとも注目画素に対して前記算出した変動回数又は変動量に基づいて適応的に第２補正強度を設定する第２補正強度設定工程と、
前記第１補正強度を設定した画素を前記第２補正強度で画像補正する第２補正工程と、を備える、ことを特徴とする画像補正処理装置の制御方法。
【請求項１５】
請求項１３又は１４に記載の画像補正処理装置の制御方法の各工程をコンピュータに実行させるためのプログラム。
【請求項１６】
請求項１３又は１４に記載の画像補正処理装置の制御方法の各工程をコンピュータに実行可能させるためのプログラムを記憶したコンピュータ可読記憶媒体。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
少なくとも１色の多値の画像信号で構成されるデジタル画像を処理する画像処理装置であって、
入力されるデジタル画像の対象とする画素の画素値を取得する画素値取得手段と、
前記画素値取得手段により取得した前記画素の画素値に基づいて補正加工処理を行う画素値補正加工処理手段と、を備え、
前記画素値補正加工処理手段は、
前記画素の画素値に対応する明るさを表す情報に基づき、コントラスト補正を行うコントラスト補正手段と、
注目画素を含む複数画素で構成される少なくとも１つの領域を設定する領域設定手段と、
前記注目画素について、前記領域設定手段で設定された領域内の画素で置換する置換手段と、を備える、ことを特徴とする画像処理装置。
【請求項２】
前記画素値補正加工処理手段は、
前記画素の画素値を、その周辺画素の画素値に基づいて算出した強調量でエッジ強調処理を行うエッジ強調手段と、をさらに備える、ことを特徴とする請求項１に記載の画像処理装置。
【請求項３】
前記コントラスト補正手段は、白近傍か否かを判定する閾値以上の明るさの画素を白に補正し、黒近傍か否かを判定する閾値以下の明るさの画素を黒に補正する、ことを特徴とする請求項１又は２に記載の画像処理装置。
【請求項４】
前記領域内画素置換手段は、
前記注目画素について前記領域設定手段で設定された領域内の画素から置換候補を選出する置換候補選出手段と、
前記注目画素の画素値について輝度を閾値と比較することで、前記注目画素の置換画素を前記置換候補選出手段で選出した置換候補のいずれかを置換画素として決定する置換画素決定手段と、
前記注目画素を前記置換画素で置換する際の置換強度を決定する置換強度決定手段と、を備える、ことを特徴とする請求項１乃至３のいずれか１項に記載の画像処理装置。
【請求項５】
前記置換候補選出手段は、
前記注目画素について前記領域設定手段で設定された領域内の画素の画素値で最大の明るさである画素と最小の明るさである画素を前記置換候補とする、ことを特徴とする請求項２に記載の画像処理装置。
【請求項６】
前記置換候補選出手段は、
前記注目画素について前記領域設定手段で設定された領域内で、さらに前記注目画素のエッジ方向によって定まるエッジ方向領域内の画素の画素値が最大の明るさである画素と最小の明るさである画素を前記置換候補とし、
前記置換候補選出手段において、
前記エッジ方向とは、前記領域内において前記注目画素を含む複数方向の領域の前記デジタル画像に関連する変動量の内、前記変動量が最大の方向とする、ことを特徴とする請求項５に記載の画像処理装置。
【請求項７】
前記置換画素決定手段は、
前記注目画素について、前記領域設定手段で設定された領域内の画素の画素値の最大ものと最小のものとの平均値を閾値とする、ことを特徴とする請求項４に記載の画像処理装置。
【請求項８】
前記置換画素決定手段は、
前記注目画素について、前記領域設定手段で設定された領域内の画素の明るさ分布における、前記注目画素の位置での明るさ勾配の凸方向によって決定する、ことを特徴とする請求項４に記載の画像処理装置。
【請求項９】
前記置換強度決定手段は、
前記注目画素について、前記領域設定手段で設定された領域内の画素の画素値のなかの最大のものと最小のものとの差に基づいて連続的に置換強度を決定し、
前記置換強度決定手段は、
前記領域内の前記デジタル画像に関連する値の変動回数を算出する変動回数算出手段と、
前記領域内の前記デジタル画像に関連する値の変動量を算出する変動量算出手段と、
前記領域内の少なくとも前記注目画素に対して前記算出した変動回数に基づいて適応的に第１補正強度を設定する手段と、
前記領域内の少なくとも前記注目画素に対して前記算出した変動量に基づいて適応的に第２補正強度を設定する手段と、
前記第１、第２補正強度を設定した画素を前記第１、第２補正強度で置換処理する手段と、を備える、ことを特徴とする請求項４に記載の画像処理装置。
【請求項１０】
少なくとも１色の多値の画像信号で構成されるデジタル画像を処理する画像処理装置の制御方法であって、
入力されるデジタル画像の対象とする画素の画素値を取得する画素値取得工程と、
前記画素値取得工程により取得した前記画素の画素値に基づいて補正加工処理を行う画素値補正加工処理工程と、を備え、
前記画素値補正加工処理工程は、
前記画素の画素値に対応する明るさを表す情報に基づき、コントラスト補正を行うコントラスト補正工程と、
注目画素を含む複数画素で構成される少なくとも１つの領域を設定する領域設定工程と、
前記注目画素について、前記領域設定手段で設定された領域内の画素で置換する置換工程と、を備える、ことを特徴とする画像処理装置の制御方法。
【請求項１１】
請求項１０に記載の画像処理装置の制御方法の各工程をコンピュータに実行させるためのプログラム。
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
水晶振動子が上枠部と下枠部との間に挟持されてなる、水晶振動子パッケージにおいて、
前記水晶振動子は、振動片と該振動片に接続される支持部とから構成され、
前記支持部の一端側には、複数に分岐される分岐部が設けられ、
前記分岐部は、前記振動片側に向かって凸状に湾曲した状態に形成されており、該分岐部の端部が、前記上枠部と前記下枠部との間に挟持されることを特徴とする水晶振動子パッケージ。
【請求項２】
水晶振動子が上枠部と下枠部との間に挟持されてなる、水晶振動子パッケージにおいて、
前記水晶振動子は、振動片と該振動片に接続される支持部とから構成され、
前記支持部の一端側には、複数に分岐される分岐部が設けられ、
前記分岐部は、平面視略階段状に屈曲した状態に形成されており、該分岐部の端部が、前記上枠部と前記下枠部との間に挟持されることを特徴とする水晶振動子パッケージ。
【請求項３】
請求項１又は２に記載の水晶振動子パッケージと、前記水晶振動子を駆動する半導体装置とを備えたことを特徴とする発振器。
【請求項４】
請求項３に記載の発振器を備えたことを特徴とする電子機器。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
チャンネルによって表示を切り替える表示切替手段と、前記チャンネルを選択するチャンネル選択手段とを備え、外部機器と接続可能な情報処理装置であって、
前記外部機器が接続されたかどうかを判別する接続判別手段と、
前記外部機器にチャンネルを割り当てるチャンネル割り当て手段と、
前記チャンネル割り当て手段によって、前記チャンネルがテレビ放送に割り当てられているか、接続された外部機器に割り当てられているか、またはいずれにも割り当てられていないかについての情報を記憶するチャンネル記憶手段と、
前記チャンネル選択手段によって選択されたチャンネルに対応する外部機器に対して、選択されたことを通知する選択通知手段とを備えることを特徴とする情報処理装置。
【請求項２】
前記チャンネル割り当て手段は、前記チャンネル記憶手段に記憶されている情報を参照して、テレビ放送及び接続された外部機器のいずれにも割り当てられていないチャンネルを新たに接続された外部機器に割り当てることを特徴とする請求項１に記載の情報処理装置。
【請求項３】
特定の外部機器及び特定のチャンネルの対応を指定するチャンネル対応指定手段を更に備え、
前記チャンネル割り当て手段は、前記チャンネル対応指定手段に従って前記チャンネルを割り当てることを特徴とする請求項１に記載の情報処理装置。
【請求項４】
ユーザからのチャンネル割り当て情報の表示要求を受け取る表示要求受け取り手段と、
前記表示要求受け取り手段によって受け取った表示要求に応じて前記チャンネル割り当て情報を表示する表示手段とをさらに備えることを特徴とする請求項１に記載の情報処理装置。
【請求項５】
接続された外部機器から送られる機器情報を受け取る機器情報受け取り手段と、
前記機器情報を記憶する機器情報記憶手段とを更に備え、
前記表示手段は、前記チャンネル割り当て情報を表示する際に前記機器情報とともに表示することを特徴とする請求項４に記載の情報処理装置。
【請求項６】
チャンネルによって表示を切り替える表示切替手段と、前記チャンネルを選択するチャンネル選択手段とを備え、外部機器と接続可能な情報処理装置であって、
前記外部機器が接続されたかどうかを判別する接続判別手段と、
前記外部機器の機能にチャンネルを割り当てるチャンネル割り当て手段と、
前記チャンネル割り当て手段によって、前記チャンネルがテレビ放送に割り当てられているか、接続された外部機器の機能に割り当てられているか、またはいずれにも割り当てられていないかについての情報を記憶するチャンネル記憶手段と、
前記チャンネル選択手段によって選択されたチャンネルに対応する外部機器に対して、選択された機能を通知する選択通知手段とを備えることを特徴とする情報処理装置。
【手続補正２】
【補正対象書類名】明細書
【補正対象項目名】０００６
【補正方法】変更
【補正の内容】
【０００６】
本発明の情報処理装置は、チャンネルによって表示を切り替える表示切替手段と、前記チャンネルを選択するチャンネル選択手段とを備え、外部機器と接続可能な情報処理装置であって、前記外部機器が接続されたかどうかを判別する接続判別手段と、前記外部機器にチャンネルを割り当てるチャンネル割り当て手段と、前記チャンネル割り当て手段によって、前記チャンネルがテレビ放送に割り当てられているか、接続された外部機器に割り当てられているか、またはいずれにも割り当てられていないかについての情報を記憶するチャンネル記憶手段と、前記チャンネル選択手段によって選択されたチャンネルに対応する外部機器に対して、選択されたことを通知する選択通知手段とを備えることを特徴とする。
また、本発明の情報処理装置の他の特徴とするところは、チャンネルによって表示を切り替える表示切替手段と、前記チャンネルを選択するチャンネル選択手段とを備え、外部機器と接続可能な情報処理装置であって、前記外部機器が接続されたかどうかを判別する接続判別手段と、前記外部機器の機能にチャンネルを割り当てるチャンネル割り当て手段と、前記チャンネル割り当て手段によって、前記チャンネルがテレビ放送に割り当てられているか、接続された外部機器の機能に割り当てられているか、またはいずれにも割り当てられていないかについての情報を記憶するチャンネル記憶手段と、前記チャンネル選択手段によって選択されたチャンネルに対応する外部機器に対して、選択された機能を通知する選択通知手段とを備えることを特徴とする。